(57)【要約】      （修正有）【課題】利用者の体の重力による往復運動で動力を発生させ、ペダル踏みを軽く、早く踏むことにより走行の安定性を与えるほか、運動効果を有する、一種の回生力キックボードを提供する。【解決手段】主に該フレーム部材５１にペダル式の駆動装置５４を設け、該駆動装置によって伝送する伝動装置５５の組み合わせより構成する。該ペダル５４１を繰り返して蹴ることにより、該伝動装置を伝動し、相対運動を形成し、回転車輪５３を片方向に伝動しながら前進する。よって、回生力キックボード５は操作の安定性のほか、乗っている者の片足を踏板の上に載せ、もう一方の足で地面を蹴って、体の重力により回生力ペダルを繰り返して踏むことにより、運動効果を実現できる。【選択図】図４
0003129429.tif 000002
【実用新案登録請求の範囲】
【請求項１】
フレーム部材、操縦桿、複数の回転車輪、駆動装置及び二つの伝動装置を含み、
該操縦桿は該フレーム部材に設け、該操縦桿はさらに延ばしてハンドルを設け、
該複数の回転車輪は該フレーム部材と操縦桿にそれぞれ設け、そのうち一つの回転車輪は該操縦桿と連動し、進行方向を制御し、
該駆動装置は該フレーム部材に枢設するペダル、及び該ペダルと該フレーム部材との間に備える弾性部材を有し、
該二つの伝動装置は該フレーム部材の回転車輪の両側にそれぞれ設け、前記各該伝動装置に該ペダルに備える円弧状ラック歯車、該フレーム部材と該円弧状ラック歯車と噛み合わせる第１歯車、該第１歯車と連動する第２歯車、該第２歯車と噛み合わせて、該回転車輪に設ける第３歯車を設け、及び該第１、第２歯車の間に設ける片方向ベアリングを設け、そのうち、該第１歯車の外径は該第２歯車の外径より小さく設けることを特徴とする回生力キックボード。
【請求項２】
該フレーム部材は該回転車輪の上方に延ばして、ダッシュボードを設けることを特徴とする請求項１記載の回生力キックボード。
【請求項３】
該片方向ベアリングに制限ブッシング、該制限ブッシングを穿設した回転軸、該制限ブッシングに複数の転がり部材を設け、及び該制限ブッシング外部に装入し、該第２歯車と連動する連動ブッシングを設け、前記の制限ブッシングに複数の開口部は間隔を置いて設け、該液体を収容し、該連動ブッシング内部に複数の凹み溝は間隔を置いて設け、各該凹み溝に底壁、該底壁より上方に延ばす係止め面、及び該底壁より上方に延ばして、もう一つの凹み溝に備える係止め面に連結する斜面を有することを特徴とする請求項１記載の回生力キックボード。
【考案の詳細な説明】
【技術分野】
【０００１】
本考案はキックボード、特に一種の安定性の高い、かつ、運動効果を有する回生力キックボードに関わるものである。
【背景技術】
【０００２】
図１に示すとおり、公知技術のキックボード１は、フレーム部材１１、操縦桿１２と二つの回転車輪１３より構成する。そのうち、該操縦桿１２は該フレーム部材１１に設け、該操縦桿１２にハンドルを設ける。一方該二つの回転車輪１３は該フレーム部材１１反対側の両側に設け、そのうち一つの回転車輪１３は該操縦桿１２に連動し、該キックボード１の進行方向を制御する。使用するとき、人力より一定の速度に摺動した後、該キックボード１を自由に摺動させ、速度が低下したとき、乗っている者の片足を踏板の上に載せ、もう一方の足で地面を蹴り摺動させる。この繰り返し操作により、該キックボードの速度を維持する。しかしながら、足の推進速度が限られるほか、安定性が悪い。さらに、このような運動は単調無味で、改善の必要がある。
【０００３】
このため、特許文献１において、一種の動力式キックボードの増力構造は、図２及び図３に示すとおり、該動力式キックボード２は主に、フレーム部材２１、及び該フレーム部材２１に備える回転車輪２２、ハンドル２３、弾性部材２５、ペダル装置２６及び片方向ベアリング２７などより構成する。そのうち、該ペダル装置２６は該フレーム部材２１両側にペダル２６１を設け、該ペダル２６１より外部に延ばし、該片方向ベアリング２７と噛み合わせる伝動歯車２６２を設ける。前記の片方向ベアリング２７は該回転車輪２２に固定し、該片方向ベアリング２７が片方向に回転するとき、該回転車輪２２を連動する。さらに、該弾性部材２５を該フレーム部材２１とペダル２６１との間に設け、該ペダル２６１の繰り返し踏むに備える。
【０００４】
使用するとき、該ペダル２６１を繰り返して踏み、該伝動歯車２６２、片方向ベアリング２７は片方向に回転し、該回転車輪２２を回転前進させる。しかしながら、該フレーム部材２１はさらに二つのペダル２６１が設けられている。このため、該フレーム部材２１に立つ空間が狭くなり、キックボードの利用者にとって、操作の不便を与えている。利用者はようやく該フレーム部材２１に立ても、該ペダル２６１を踏み前進させるには、該フレーム部材２１に立つ姿勢を該ペダル２６１に足踏みに変わるとき、困難を生じる。そして、足を該ペダル２６１に置き、左右両足の踏み方式を採ると、該フレーム部材２１が左右に揺れる。その上、従来のキックボードの回転車輪２２が小さいため、使用の安全に影響を与える。
【０００５】
【特許文献１】台湾特許第０９２２０５９０２号明細書
【考案の開示】
【考案が解決しようとする課題】
【０００６】
利用者の体の重力による往復運動で動力を発生させ、ペダル踏みを軽く、早くさせ、踏み操作は走行の安定性を与えるほか、運動効果を有する、一種の回生力キックボードを提供することが本考案の主な目的とする。
【０００７】
前記の目的を達成するため、本考案の回生力キックボードは主に、フレーム部材、及び該フレーム部材に操縦桿、回転車輪、駆動装置、及び伝動装置などより構成する。そのうち、該駆動装置は該フレーム部材に枢設するペダル、及び該ペダルと該フレーム部材との間に備える弾性部材を有する。該伝動装置は該フレーム部材の回転車輪の両側に設ける。前記の伝動装置は該ペダルに連結する円弧状ラック歯車をそれぞれ設け、該フレーム部材と該円弧状ラック歯車と噛み合わせる第１歯車、該第１歯車と連動する第２歯車、該第２歯車と噛み合わせる該回転車輪に設ける第３歯車、及び該第１、第２歯車の間に設ける片方向ベアリングを有する。これらの構成要素により、使用するとき、該ペダルを繰り返して踏むことにより、該ペダルと該フレーム部材との間に備える弾性部材を上下に移動反応し、該二つの伝動装置は相対的な運動を発生し、該回転車輪を駆動する。このため、該回生力キックボードは、操作の安定性を向上できる。さらに、人力による足の推進摺動と合わせて、利用者の体の重力による回生力ペダルを往復運動させ、運動効果を実現できる。
【課題を解決するための手段】
【０００８】
請求項１の考案は、フレーム部材、操縦桿、複数の回転車輪、駆動装置及び二つの伝動装置を含み、
該操縦桿は該フレーム部材に設け、該操縦桿はさらに延ばしてハンドルを設け、
該複数の回転車輪は該フレーム部材と操縦桿にそれぞれ設け、そのうち一つの回転車輪は該操縦桿と連動し、進行方向を制御し、
該駆動装置は該フレーム部材に枢設するペダル、及び該ペダルと該フレーム部材との間に備える弾性部材を有し、
該二つの伝動装置は該フレーム部材の回転車輪の両側にそれぞれ設け、前記各該伝動装置に該ペダルに備える円弧状ラック歯車、該フレーム部材と該円弧状ラック歯車と噛み合わせる第１歯車、該第１歯車と連動する第２歯車、該第２歯車と噛み合わせて、該回転車輪に設ける第３歯車を設け、及び該第１、第２歯車の間に設ける片方向ベアリングを設け、そのうち、該第１歯車の外径は該第２歯車の外径より小さく設けることを特徴とする回生力キックボードとしている。
請求項２の考案は、該フレーム部材は該回転車輪の上方に延ばして、ダッシュボードを設けることを特徴とする請求項１記載の回生力キックボードとしている。
請求項３の考案は、該片方向ベアリングに制限ブッシング、該制限ブッシングを穿設した回転軸、該制限ブッシングに複数の転がり部材を設け、及び該制限ブッシング外部に装入し、該第２歯車と連動する連動ブッシングを設け、前記の制限ブッシングに複数の開口部は間隔を置いて設け、該液体を収容し、該連動ブッシング内部に複数の凹み溝は間隔を置いて設け、各該凹み溝に底壁、該底壁より上方に延ばす係止め面、及び該底壁より上方に延ばして、もう一つの凹み溝に備える係止め面に連結する斜面を有することを特徴とする請求項１記載の回生力キックボードとしている。
【考案の効果】
【０００９】
本考案は以下の長所と効果あることが分かる：
１．該回生力キックボードは駆動装置により、フレーム部材両側にそれぞれ設けた該伝動装置を連動して稼働する。よって、操作のとき、回転車輪を安定に連動し回転させ、走行の安定性を向上できる。
２．利用者は該回生力キックボードを前進させるとき、該駆動装置を繰り返して踏み、該伝動装置を連動し、該回生力キックボードの前進動力を提供しなければならない。このため、使用するときの踏み運動は、日常の歩行に加えて、健康を兼ねることができる。
【００１０】
前記した説明により、本考案の該フレーム部材の駆動装置、及び該駆動装置により駆動される伝動装置を設け、該ペダルとフレーム部材との間の弾性部材を連動し、上下に移動反応し、該二つの伝動装置を相対運動させ、該回転車輪を駆動する。このため、該回生力キックボードは操作の安定性を向上できるほか、利用者の片足による摺動移動と体の重力により、ペダルの往復踏み運動は運動効果を実現し、本考案の目的を達成できる。
【考案を実施するための最良の形態】
【００１１】
図４に示すものは、本考案の回生力キックボード５一つの好ましい実施例である。主に、フレーム部材５１、操縦桿５２、複数の回転車輪５３、駆動装置５４及び二つの伝動装置５５などの構成要素より構成する。そのうち、該操縦桿５２は該フレーム部材５１に設け、該操縦桿５２にハンドル５２１を設ける。一方、該回転車輪５３は該フレーム部材５１と操縦桿５２にそれぞれ設け、該操縦桿５２の連動により、進行方向を制御する。図５に示すとおり、該駆動装置５４に該フレーム部材５１に枢設するペダル５４１、及び該ペダル５４１とフレーム部材５１との間に弾性部材５４２（ばねなど）を有する。該フレーム部材５１はさらに、該回転車輪５３上部に延ばしてダッシュボード５４３を設けることにより、該ペダル５４１を踏むとき、該弾性部材５４２の弾性回復力により押さえて復帰し、該回転車輪５３の回転により巻き起こした土砂などは、該ダッシュボード５４３によって係止められる。
【００１２】
図５と図６に示すように、該二つの伝動装置５５は該回転車輪５３の両側にそれぞれ設ける。前記の伝動装置５５は該ペダル５４１に連設する円弧状ラック歯車５５１、該フレーム部材５１と該円弧状ラック歯車５５１と噛み合わせる第１歯車５５２、該第１歯車５５２に連動する第２歯車５５３、該第２歯車５５３に噛み合わせて、該回転車輪５３に設ける第３歯車５５４、及び該第１、第２歯車５５２、５５３の間に設ける片方向ベアリング５５５を有する。図７を合わせて参照する。前記の片方向ベアリング５５５に制限ブッシング５５６、該制限ブッシング５５６に備える回転軸５５７、該制限ブッシング５５６に設ける複数の転がり部材５５８、及び該制限ブッシング５５６外部に設け、該第２歯車５５３と連動する連動ブッシング５５９を有し、前記の該制限ブッシング５５６に複数の開口部５５６１は間隔を置いて設け、該転がり部材５５８を収容する。該連動ブッシング５５９内部に複数の凹み溝５５９１は間隔を置いて設け、それぞれの凹み溝５５９１に底壁５５９２、該底壁５５９２より上方に延ばす係止め面５５９３、及び該底壁５５９２より上方に延ばし、もう一つの凹み溝５５９１の係止め面５５９３に連結する斜面５５９４を有する。
【００１３】
これにより、該第２歯車５５３を回転させるとき、該第１歯車５５２により該回転軸５５７を連動し回転させ、該回転軸５５７を時計方向に回転し、該転がり部材５５８は徐々に該斜面５５９４に移動し、該回転軸５５７と斜面５５９４との間に挟まれる。これらの構成要素により、第１歯車５５２の動力は該転がり部材５５８の伝導により、該第２歯車５５３を連動し回転させる。これに対して、逆時計方向で回転するとき、該回転軸５５７は該転がり部材５５８を該凹み溝５５９１（仮想線に示す）に押さえ込むことにより、該第１歯車５５２の動力は該転がり部材５５８より伝導せず、該第１歯車５５２を空転させる。
【００１４】
図８、該回生力キックボード５は使用しないとき、該操縦桿５２を下方に折り曲げて、該フレーム部材５１に寄り掛かり、収納が簡単、便利である。使用するとき、該操縦桿５２を引き起こして、該回生力キックボード５を図４に示す状態に展開する。図９を合わせて参照する。利用者は該操縦桿５２を手に取り、該回生力キックボード５の進行方向を制御する。片方の足を該ペダル５４１に繰り返して踏み、図９と図１０に示す交互交差の状態において、該弾性部材５４２の弾性回復力により係止めて、該ペダル５４１を上方に押さえて、該円弧状ラック歯車５５１を連動し、上下に移動反応し、該第１歯車５５２を回転させ、該第２歯車５５３を連動し、同期に回転する。一方、該第１歯車５５２は該第２歯車５５３を連動するうち、該第１、第２歯車５５２、５５３の該片方向ベアリング５５５により、該第１歯車５５２は第２歯車５５３を片方向に回転させ、該第２歯車５５３の回転動力との相殺動作がない。最後に、該第２歯車５５３により、該第３歯車５５４を連動した後、該回転車輪５３を回転させ、該回生力キックボード５の前進動力を提供するほか、該二つの伝動装置５５による動力伝導のときは、操作の安定性を向上できるほか、使用操作の重力による往復踏み運動は、運動効果を実現する。
【図面の簡単な説明】
【００１５】
【図１】公知技術のキックボードの表示図である。
【図２】公知技術の動力式キックボードの表示図である。
【図３】公知技術の動力式キックボードの伝動増力構造の表示図である。
【図４】本考案の好ましい実施例の立体表示図である。
【図５】本考案の駆動装置、伝動装置の立体分解図である。
【図６】本考案の片方向ベアリングの立体分解図である。
【図７】本考案の片方向ベアリングと第２歯車との組合せ断面表示図である。
【図８】本考案の好ましい実施例の収納状態の立体断面表示図である。
【図９】本考案の好ましい実施例の伝動装置の動作表示図である。
【図１０】本考案の好ましい実施例の伝動装置の動作表示図である。
【符号の説明】
【００１６】
５  回生力キックボード
５１  フレーム部材
５２  操縦桿
５３  回転車輪
５４  駆動装置
５５  伝動装置
５２１  ハンドル
５４１  ペダル
５４２  弾性部材
５４３  ダッシュボード
５５１  円弧状ラック歯車
５５２  第１歯車
５５３  第２歯車
５５４  第３歯車
５５５  片方向ベアリング
５５６  制限ブッシング
５５６１  開口部
５５７  回転軸
５５８  転がり部材
５５９  連動ブッシング
５５９１  凹み溝
５５９２  底壁
５５９３  係止め面
５５９４  斜面
【図１】
0003129429.tif 000003
【図２】
0003129429.tif 000004
【図３】
0003129429.tif 000005
【図４】
0003129429.tif 000006
【図５】
0003129429.tif 000007
【図６】
0003129429.tif 000008
【図７】
0003129429.tif 000009
【図８】
0003129429.tif 000010
【図９】
0003129429.tif 000011
【図１０】
0003129429.tif 000012